(57)【要約】  【課題】  本発明は、複雑な登録作業等を必要とせずに、容易に所定の画像データを探すことが可能な画像蓄積装置を提供する。  【解決手段】  本発明では、画像管理装置において、複数の画像データを保管するメモリと、記憶メディアを接続する接続手段と、前記記憶メディアの情報を検出する検出手段と、前記検出手段の検出結果に基づいて前記記憶メディアに記録する画像データ群を選択する選択手段とを備える構成とした。【選択図】  図１
2008104202.tif 000002
【特許請求の範囲】
【請求項１】
複数の画像データを保管するメモリと、
記憶メディアを接続する接続手段と、
前記記憶メディアの情報を検出する検出手段と、
前記画像データを関連性の高い画像データからなる複数の画像データ群として抽出する画像抽出手段と、
前記検出手段で検出した前記記憶メディアの空き記憶容量に基づいて前記記憶メディアに記録する画像データ群を、前記複数の画像データ群から選択する選択手段とを備える
ことを特徴とする画像管理装置。
【請求項２】
請求項１に記載の画像管理装置において、
前記選択手段は、前記記憶メディアの空き記憶容量と同等の容量の画像データ群を選択することを特徴とする画像管理装置。
【請求項３】
請求項１、２に記載の画像管理装置で実行する制御を記述したことを特徴とする画像管理プログラム
【発明の詳細な説明】
【技術分野】
【０００１】
本発明は、複数の画像データを管理する画像管理装置および画像管理プログラムに関する。
【背景技術】
【０００２】
画像データに関連付けて撮影環境情報、キーワード等を記憶して画像データを管理する画像管理装置が存在する。そして、従来の画像管理装置は、撮影環境情報、キーワード等から画像データの検索、抽出を行える。
【発明の開示】
【発明が解決しようとする課題】
【０００３】
しかし、従来の画像管理装置は、画像データが大量に蓄積されてくると、蓄積された画像データの中から所定の画像データを探し出すことは大変困難であった。また、簡単に探し出すようにするためには画像データを画像管理装置に登録する際にキーワード等を慎重かつ詳細に登録する必要があった。本発明は、複雑な登録作業等を必要とせずに、容易に所定の画像データを探すことが可能な画像蓄積装置を提供する。
【課題を解決するための手段】
【０００４】
請求項１に記載の発明では、画像管理装置において、複数の画像データを保管するメモリと、  記憶メディアを接続する接続手段と、前記記憶メディアの情報を検出する検出手段と、前記画像データを関連性の高い画像データからなる複数の画像データ群として抽出する画像抽出手段と、前記検出手段で検出した前記記憶メディアの空き記憶容量に基づいて前記記憶メディアに記録する画像データ群を、前記複数の画像データ群から選択する選択手段とを備える構成とした。
【０００５】
請求項２に記載の発明では、請求項１に記載の画像管理装置において、前記選択手段は、前記記憶メディアの空き記憶容量に基づいて画像データ群を選択する構成とした。
【０００６】
請求項３に記載の発明では、請求項２に記載の画像管理装置において、前記選択手段は、前記記憶メディアの空き記憶容量と同等の容量の画像データ群を選択する構成とした。
【０００７】
請求項４に記載の発明では、画像管理装置において、複数の画像データを保管するメモリと、前記メモリに保管されている画像データを管理する管理情報を記録した記録手段と、記憶メディアを接続する接続手段と、前記管理情報に基づいて前記記憶メディアに記録する画像データ群を選択する選択手段とを備える構成とした。
【０００８】
請求項５に記載の発明では、請求項４に記載の画像管理装置において、前記管理情報は、画像データの撮影情報を含む構成とした。
請求項６に記載の発明では、請求項５に記載の画像管理装置において、前記選択手段は、画像データの撮影日時情報に基づいて前記記憶メディアに記録する画像データ群を選択する構成とした。
【０００９】
請求項７に記載の発明では、画像管理装置において、複数の画像データを保管するメモリと、記憶メディアを接続する接続手段と、前記メモリに保管されている複数の画像データの中から前記記憶メディアに記録しようと指示された画像データに基づいて、前記記憶メディアに記録する画像データ群を選択する選択手段とを備える構成とした。
【００１０】
請求項８に記載の発明では、請求項７に記載の画像管理装置において、前記選択手段は、前記指示された画像データと関連する画像データ群を選択する構成とした。
【００１１】
請求項９に記載の発明では、請求項８に記載の画像管理装置において、前記選択手段は、前記指示された画像データの撮影日時データに応じて記録する画像データ群を選択する構成とした。
【００１２】
請求項１０に記載の発明では、請求項８に記載の画像管理装置において、前記選択手段は、前記指示された画像データのタイトルデータに応じて記録する画像データ群を選択する構成とした。
【００１３】
請求項１１に記載の発明では、画像管理プログラムにおいて、請求項１から１０に記載の画像管理装置で実行する制御を記述した構成とした。
【発明を実施するための最良の形態】
【００１４】
以下に本発明の実施の形態の画像管理装置について説明する。
図１は、本発明の実施の形態による画像管理装置１と画像管理装置１に接続される様々な機器を示した図である。
【００１５】
画像管理装置1には、モニタ２、デジタルカメラ３、電子手帳４、携帯電話５、ポータブル蓄積装置６、プリンタ７、サーバコンピュータ８等が通信可能に接続される。
【００１６】
画像管理装置１は、デジタルカメラ等で生成された画像データを管理するための装置である。モニタ２は、画像管理装置１が出力する映像信号に基づいて映像を表示する装置である。デジタルカメラ３は、デジタルの画像データを生成するカメラである。電子手帳４は、スケジュール管理機能ソフトを備える携帯端末である。携帯電話５は、通話機能、電子メール機能、スケジュール管理機能等を持つ電話である。ポータブル蓄積装置６は、ある程度のメモリ容量のハードディスクを内蔵した携帯型の蓄積装置である。ポータブル蓄積装置６は、デジタルカメラ等の端末とともに屋外に持ちだし、端末で生成したデータを蓄積するための装置である。
【００１７】
プリンタ７は、画像管理装置１から出力信号に基づいてプリントする装置である。サーバコンピュータ８は、画像管理装置１とインターネット等のネットワークを介して通信可能に接続し、画像データ等のデータ通信を行うコンピュータである。また、サーバコンピュータ８は、デジタルカメラ２とインターネット等のネットワークを介して通信し、デジタルカメラ２で生成した画像データを受信して蓄積する。
【００１８】
図２は、本発明の実施の形態による画像管理装置１の機能を示す機能ブロック図である。
画像管理装置１は、ＣＰＵ１０１、ハードディスク１０２、ディスクドライブ１０３、メモリカードスロット１０４、接続端子１０５、通信回路１０６を備える。ＣＰＵ１０１は、画像管理装置１で実行される様々な機能を実行する。ハードディスク１０２は、画像データを蓄積する大容量メモリである。また、ハードディスク１０２には、画像管理装置で実行するさまざまなプログラムが記録されている。
【００１９】
ディスクドライブ１０３は、装着されたＣＤ、ＣＤ−Ｒ、ＣＤ−ＲＷ等に記録された画像データ等を再生するためのドライブである。また、ディスクドライブ１０３は、再生だけでなくＣＤ−Ｒ、ＣＤ−ＲＷに対して画像データ等の書き込みが可能である。また、ＣＤ、ＣＤ−Ｒ、ＣＤ−ＲＷ以外にＤＶＤ規格のディスクでも実現できる。メモリカードスロット１０４は、装着されたメモリカードに記録された画像データ等を記録、再生するためのスロットである。メモリカードには、書換え可能なメモリと書換えできないライトワンスメモリがある。
【００２０】
接続端子１０５は、デジタルカメラ、電子手帳等の他の機器と有線または無線で通信可能に接続するための端子である。通信回路１０６は、インターネットを介してサーバコンピュータ等と通信を行うための回路である。
【００２１】
なお、本実施の形態における画像管理装置１は、画像管理プログラムが予めインストールされている画像管理専用の装置であってもよいし、使用者が後から画像管理プログラムをインストールするパソコンと同等の装置であってもよい。例えば、画像管理プログラムは、ＣＤ−ＲＯＭ、またはインターネットによりダウンロードすることにより提供される。
【００２２】
次に、本実施の形態の画像管理装置１における画像データを管理する管理方法を説明する。
図３は、画像管理装置１の画像データ管理方法を概念的に示した図である。
【００２３】
オリジナル画像データ、管理データ、サムネイル画像データで構成される。オリジナル画像データは、デジタルカメラ等で生成された画像データである。管理データと、サムネイル画像データは、画像管理装置１による登録作業で作成される。
【００２４】
サムネイル画像は、画像管理装置１で一覧表示するための管理用の画像データである。また、サムネイル画像データは、Ｅｘｉｆ（Exchangeable Image File）形式ファイルで構成され、ファイルヘッダ部のＥｘｉｆタグにオリジナル画像データと同様の撮影情報を持つ。
【００２５】
管理データは、画像データから取得した情報、入力された情報、操作により発生した情報等を画像データごとに登録している。また、管理データは、オリジナル画像データの保管先情報も登録している。
【００２６】
これらのデータは、ハードディスク１０２に保管される。なお、オリジナル画像データは、ハードディスク１０２に保管せずに、ＣＤ−Ｒ等のメディア内で保管することもある。
【００２７】
次に、本実施の形態における画像管理装置１で実行される各種制御を説明する。
先ず、画像管理装置１で実行される画像データの管理制御について説明する。画像管理装置の接続端子に接続される機器、または、ディスクドライブ１０３、メモリカードスロット１０４に装着されるメモリにより異なる制御を実行する。
【００２８】
画像管理装置１で実行される画像管理制御では、ディスクドライブ１０３に装着されたディスクの種類を判別し、異なる制御を行う。ディスクの種類の判別は、ＣＤ、ＣＤ−Ｒ、ＣＤ−ＲＷ、ＤＶＤ等のメディアの種類を判別するだけでなく、市販写真集ＣＤ、ラボ作成ＣＤ−Ｒ、個人作成ＣＤ−Ｒ等のディスク内容まで判別する。これらは、ディスク内に記録されているデータの種類、ディスクのボリュームラベル、シリアル番号等から判別するようにする。
【００２９】
ここで、ラボ作成ＣＤ−Ｒについて説明する。銀塩フィルムの現像、プリントを扱うラボにより、フィルムの画像データをデジタル化してＣＤ−Ｒ等の記憶媒体に記録するサービスを行っている。ラボ作成ＣＤ−Ｒとは、上記サービスによりラボにより作成されたディスクのことである。このサービスにより、銀塩カメラユーザも撮影した画像データをパソコン等で容易に取り扱うことができる。
【００３０】
画像管理装置１で実行される画像管理制御では、例えば、装着されたディスクがＣＤ−Ｒであった場合に、ＣＤ−Ｒに付されているボリュームラベルまたはシリアル番号等と画像データを検出して既に登録したものであるか否かを判定する。シリアル番号のみを用いての判定では、前回の登録から追記された画像データが有った場合に、同じシリアル番号であるため既に登録済みである判定がされてしまう可能性がある。また、同じシリアル番号のディスクが存在する可能性もある。検出して蓄積していないディスクである場合にはラボが付したと思われる特定の規則に従って作成されたボリュームラベルが付されているか検出する。ボリュームラベルからラボで作成されたＣＤ−Ｒものか判定する。また、ボリュームラベルから作成ラボを特定する。ラボが特定されると、本画像蓄積装置１は、ラ
ボごとの画像データの傾向情報を予め記憶しているので、表示、プリント等を実行する際に、特定されたラボに応じて補正処理を施すことができる。
【００３１】
また、ラボ作成ＣＤ−Ｒの中には、画像データを閲覧するための専用閲覧ソフトが記録されている。本ソフトが起動している場合には、ＣＤ−Ｒの中に記録された専用閲覧ソフトの自動起動を禁止する。また、専用閲覧ソフトをセットアップしていない環境おいてＣＤ−Ｒの装着時に起動する専用閲覧ソフトのセットアップ作業を禁止する。すなわち、管理ソフトが起動しているときには、ディスク装着時のオートラン機能を停止させる。
【００３２】
以下に画像蓄積装置１で実行される画像管理制御を具体的に説明する。図４は、画像管理装置で実行する画像管理制御を示すフローチャート図である。本フローは、ディスクドライブ１０３に画像データを記録したディスクが装着されていることを検出することでスタートする。
【００３３】
先ず、ステップＳ１０１では、ディスクの装着に応答して所定プログラムが自動的に起動するオートラン機能を停止する。これにより、画像管理制御が機能しているときに、必要のないプログラムが自動的に起動してしまうことがなく、使用者に煩わしさを感じさせることがない。
【００３４】
次にステップＳ１０２では、装着されたディスク内の全ての画像データについて既にハードディスク１０２内の画像管理データ内に登録済みであるか否かを検出する。ここでは、先ずシリアル番号、ボリュームラベルを検出して、既に管理データに登録されているディスクであるかを検出する。登録されている場合には、更に、ディスクに格納されている画像データを検索する。例えば、装着されたディスクがＣＤ−Ｒ、ＣＤ−ＲＷ等の場合には画像データを追記することができるので、ディスクのシリアル番号、ボリュームラベルが既に登録済みであっても未登録の画像データが存在する可能性があるためである。このような処理を実行し、ディスクに格納されている全ての画像データが既に登録済みである場合にはステップＳ１０７に進み、登録されていない画像データが存在する場合にはステップＳ１０３に進む。
【００３５】
次にステップＳ１０３では、装着されたディスクが市販写真集等のＣＤであるか否かを検出する。市販写真集のＣＤである場合には、画像データを管理データに登録する必要ないものとしてステップＳ１０７に進み、市販のＣＤでない場合にはステップＳ１０４に進む。
【００３６】
ステップＳ１０７では、既に登録済みであること、または市販の写真集であることをモニタに表示する。また、画像データをハードディスク内に格納するか否かを問い合わせる表示をする。ここで、格納するか問い合わせる理由は、既に登録済みのディスクを再度、ディスクドライブ１０３に装着したということは、管理データの登録だけでなくディスク内に記録されている画像データをハードディスク内に格納することを望んでいる可能性があるためである。また、市販のＣＤの場合も同じ理由で、画像データをハードディスクに格納するか否かを問い合わせる表示を行う。
【００３７】
そしてステップＳ１０８では、問い合わせに対してハードディスクに格納する指示があったか否かを検出し、格納する指示があった場合にはステップＳ１０９に進み、格納しない指示があった場合には本フローを終了する。
【００３８】
ステップＳ１０９では、ディスク内の画像データをハードディスク内の所定場所に格納する。続いてステップＳ１１０では、格納作業が終了したか否かを検出し、終了している場合には本フローを終了し、終了していない場合にはステップＳ１０９に戻り格納作業を継続する。
【００３９】
一方、ステップＳ１０４では、ディスクドライブ１０３に装着されているディスクがＣＤ-Ｒ等のライトワンスメディアであるか否かを検出する。装着されたディスクがＣＤ−Ｒである場合にはステップＳ１０５に進み、ＣＤ−Ｒでない場合にはステップＳ１０６に進む。ステップＳ１０５では、ライトワンスメディア用の登録制御を実行する。ライトワンスメディア用の登録制御については図５から図７を用いて説明する。
【００４０】
また、ステップＳ１０６では、ライトワンスでない通常メディア用の登録制御を実行する。ここで通常メディアとは、記録した画像データの書換えが可能なＣＤ−ＲＷ等のメディアである。通常メディア用の登録制御については図６を用いて説明する。
【００４１】
次に、画像管理装置１で実行される登録制御について説明する。
先ず、図４に示したフローのステップＳ１０５で実行されるライトワンスメディアにおける登録制御の一例を説明する。
【００４２】
図５は、ライトワンスメディア内に記録された画像データに対する登録制御を示すフローチャート図である。
先ず、ステップＳ２０１では、管理データの登録作業を実施する。ここで実施される登録作業は、オリジナル画像データのサムネイル画像を作成し、オリジナル画像データに撮影時に付加された撮影時情報とサムネイル画像とを管理データに登録する。管理データは、ハードディスク１０２内に格納される。撮影時情報は、オリジナル画像データがＥｘｉｆ形式ファイルで生成されている場合にはファイルのヘッダ部にＥｘｉｆタグとして記録されている。更に詳細な登録作業については後ほど説明する。
【００４３】
次にステップＳ２０２では、ディスク内に記録されているオリジナル画像データをハードディスク１０２内に格納するか問い合わせの表示を行う。ここで、ハードディスク内に格納するか問い合わせる理由は、例えば、ＣＤ-Ｒ等のライトワンスメディアに記録されたオリジナル画像データは、新たな画像データを上書きして記録することができないので、消去されることがない。従って、ＣＤ-Ｒが使用者の所有するものである場合には、オリジナル画像データをハードディスク内に格納しなくても、ＣＤ-Ｒをディスクドライブ１０３に装着することで足りる。また、管理データに登録してあるので、ＣＤ-Ｒが装着されていない状態でも、ＣＤ-Ｒ内に記録されている画像データを検索、抽出することが可能である。
【００４４】
そして、ステップＳ２０３では、問い合わせに対して、ハードディスク１０２内に格納するよう指示されたか否かを検出する。指示された場合にはステップＳ２０４に進み、指示されない場合にはステップＳ２０７に進む。
【００４５】
ステップＳ２０４では、ＣＤ-Ｒ内のオリジナル画像データの吸い上げ作業を実行する。そして、ステップＳ２０５では、吸い上げたオリジナル画像データをハードディスク１０２内の所定箇所に格納する。そしてステップＳ２０６では、吸い上げ、格納作業が終了したか否かを検出して、終了していることを検出した場合には本フローを終了し、終了していない場合にはステップＳ２０４に戻る。
【００４６】
一方、ステップＳ２０７では、装着されているＣＤ-Ｒをどこに保管するか入力させるための入力フォームを表示する。入力フォームには、保管場所だけではなく、所有者等の情報を入力することができる。続いてステップＳ２０８では、使用者により入力フォームに保管場所、所有者等の情報が入力されたか否かを検出し、入力された場合にはステップＳ２０９に進み、入力されない場合にはステップＳ２１０に進む。
【００４７】
ステップＳ２０９では、入力された保管場所、所有者情報を管理データに追記登録する。一方、ステップＳ２１０では、ＣＤ-Ｒに貼りつけるラベルまたはＣＤジャケットを作成、プリントするか問い合わせる。ラベル、ＣＤジャケットを作成させる理由を説明する。オリジナルの画像データをハードディスク１０２内に格納していないので、登録された管理データに基づいて、ＣＤ-Ｒ内の画像データが検索、抽出された場合に、画像管理装置１は検索、抽出された画像データが記録されているＣＤ-Ｒを装着するように指示する。使用者は、指示されたＣＤ-Ｒを探し出し、ディスクドライブ１０３に装着する必要があるが、ラベル、ＣＤジャケットはその際の探し出すときの助けになる。ラベル、ＣＤジャケットには、通し番号やタイトル等の情報が印刷されている。
【００４８】
ステップＳ２１１では、ラベルを作成するよう指示されたか否かを判別し、作成するように指示された場合にはステップＳ２１２に進み、指示されない場合には本フローを終了する。ステップＳ２１２では、ラベル作成処理を実施する。ステップＳ２１３では、ラベル作成処理が終了したか否かを検出し、終了した場合には本フローを終了し、終了していない場合にはステップＳ２１２に戻る。
【００４９】
次に、図４のステップＳ１０５で実行されるライトワンスメディアに対する登録制御の別例について説明する。本例では、ディスクドライブ１０３に装着されたディスク内に記録されているオリジナル画像データの吸い上げを行わない。
【００５０】
図６は、ライトワンスメディア内に記録された画像データに対する登録制御を示すフローチャート図である。
先ず、ステップＳ３０１では、管理データの登録作業を実施する。そして、ステップＳ３０２では、ライトワンスメディアであるＣＤ-Ｒの保管場所、所有者の登録を行うための入力フォームを表示する。続いてステップＳ３０３では、使用者により入力フォームに保管場所、所有者等の情報が入力されたか否かを検出し、入力された場合にはステップＳ３０４に進み、入力されない場合には本フローを終了する。そしてステップＳ３０４では、入力された情報を管理データに追加登録する。
【００５１】
以上のように、装着されたディスクがライトワンスメディアである場合には、登録作業のみ行い、オリジナル画像データをハードディスク１０２内に格納しないので、ハードディスク１０２の容量を減らすことがない。
【００５２】
更に、図４のステップＳ１０５で実行されるライトワンスメディアに対する登録制御の別例について説明する。本例は、ディスクドライブ１０３に装着されたディスクがＣＤ-Ｒ等のライトワンスメディアである場合でもバックアップ用画像データとして保管するため自動的に画像データを吸い上げ、ハードディスク１０２に格納する。
【００５３】
図７は、ライトワンスメディア内に記録された画像データに対する登録制御を示すフローチャート図である。
先ず、ステップＳ４０１では、ライトワンスメディア内の画像データの吸い上げを実行する。そして、ステップＳ４０２では、吸い上げた画像データをバックアップ用画像データとしてハードディスク１０２内のバックアップ領域に保管する。続いて、ステップＳ４０３では、管理データの登録作業を実行する。
【００５４】
次に、図４のステップＳ１０６で実行されるライトワンスメディアではない通常メディアの場合における登録作業を説明する。
図８は、画像管理装置１において実行する登録制御を示すフローチャート図である。
【００５５】
先ず、ステップＳ５０１では、ディスク内の画像データを吸い上げる。そして、ステップＳ５０２では、画像データベース登録のため吸い上げた画像データをハードディスク１０２内の所定場所に保管する。更に、ステップＳ５０３では、ハードディスク１０２のバックアップ領域に吸い上げた画像データをバックアップ用画像データとして保管する。
【００５６】
そして、ステップＳ５０４では、サムネイル画像を生成し、画像データに付加されていた情報から管理情報を作成して管理データとして登録する。
ステップＳ５０５では、ディスク内の画像データを削除するか問い合わせ表示を行う。ステップＳ５０６では、削除する指示がなされたか検出し、削除する場合にはステップＳ５０７に進み、削除しない場合には本フローを終了する。そして、ステップＳ５０７では、ディスク内の画像データを削除する。
【００５７】
以上のとおり図７、図８で示した制御で、画像管理装置１は、オリジナル画像データをコピーしたバックアップを作成する。これにより、オリジナル画像データに不具合が生じても、バックアップされているので困ることがない。また、図７で説明したとおり、装着されたメディアがライトワンスメディアである場合には、バックアップのためのみにハードディスク１０２に保管するので、ハードディスク１０２の残容量を無駄に減らすことがない。
【００５８】
次に、図５のステップＳ２０１、図６のステップＳ３０１、図７のステップＳ４０３、図８のステップＳ５０４で実行される登録作業について説明する。
画像データと関連付けて記録する管理データの登録作業について説明する。登録時にＥｘｉｆ形式で記録された画像ファイルのヘッダ部のＥｘｉｆタグに撮影時情報が記録されている場合にはそれに基づいて登録する。例えばＡＰＳフィルムには、磁気記録部分に撮影時の撮影環境情報等が記録されている。磁気記録部分に記録されている撮影環境情報等を画像ファイルのタグに記録されている。それに対して、１３５フィルムの場合には撮影時情報は記録されていないのでタグに記録されていない。
【００５９】
タグ情報が記録されている画像ファイルに対しては、自動的に登録作業を行うが、タグ情報がない場合には入力画面を表示して情報を入力するように催促する。ここで登録された情報のうちＥｘｉｆ規格にある情報は、画像管理装置のデータベース内に保管するだけでなく、書換え可能なメモリである場合にはオリジナル画像データのタグに情報を付加する。これにより、画像管理装置１以外の他の管理装置で画像データを扱うときに付加した情報が活用できる。
【００６０】
以下に本実施の形態の画像管理装置１における登録作業を具体的に説明する。
図９は、画像管理装置1で実行される登録作業を示すフローチャート図である。
【００６１】
先ず、ステップＳ６０１では、ディスク内の画像データに付加されている情報を調査する。そして、ステップＳ６０２では、画像データの管理データとして登録に必要な全情報が付加されているか否かを検出する。全情報が付加されている場合にはステップＳ６０７に進み、付加されていない場合にはステップＳ６０３に進む。
【００６２】
また、ステップＳ６０３では、付加されていない情報を表示して、登録に必要な情報を入力するように催促する表示を行う。そして、ステップＳ６０４では、情報が入力されたか否かを検出し、入力された場合にはステップＳ６０５に進み、入力されない場合にはステップＳ６０７に進む。
【００６３】
そして、ステップＳ６０５では、入力された情報にＥｘｉｆ形式の画像ファイルのヘッダ部に付加できる情報があるか否かを判別する。付加できる情報がある場合にはステップＳ６０６に進み、付加できる情報がない場合にはステップＳ６０７に進む。ステップＳ６０６では、オリジナル画像データのＥｘｉｆ形式ファイルのヘッダ部に情報を付加する。
【００６４】
ステップＳ６０７では、オリジナル画像データからサムネイル画像を作成する。ここで、サムネイル画像は、Ｅｘｉｆ形式ファイルで作成され、オリジナル画像データと同等のＥｘｉｆ情報が付加されている。また、Ｅｘｉｆ情報と使用者により入力された情報とを管理データとして登録する。当然、オリジナル画像データ、サムネイル画像データ、バックアップ画像データの保管場所についても管理データとして登録する。なお、バックアップ画像データには、単独の管理データ、サムネイル画像は生成されない。
【００６５】
以上説明したとおり、画像管理装置１では、オリジナルの画像データはＣＤ−Ｒ等のライトワンスメディアに保管されている場合には画像管理装置１に蓄積しない例を示した。これにより、ＣＤ−Ｒ内とハードディスク１０２内の２箇所に同じ画像データを保存しないようにすることで、ハードディスク１０２を無駄に使用してしまうことを防ぐ。
【００６６】
また別例として、ＣＤ−Ｒを破損、紛失してしまうことも考えられる。そのため、バックアップ用の画像データとしてＣＤ−Ｒ内の画像データをハードディスク１０２にも保管する例を示した。
【００６７】
ＣＤ−Ｒに保管されている画像データに対して、プリント等の指示があったときに、ディスクドライブ１０３にそのＣＤ-Ｒが装着されていないと、瞬時に対応することができない。しかし、ＣＤ-Ｒ内の画像データをハードディスク１０２にバックアップすることにより、ＣＤ−Ｒに保管されている画像データに対してプリント等の指示があった場合に、そのＣＤ−Ｒが装着されていない場合にも、バックアップ用の画像データを使用することにより対応することができる。
【００６８】
以下に、本実施の形態の画像管理装置におけるバックアップ用画像データを使用する制御を具体的に説明する。例として画像データのプリント指示があった場合を説明するが、プリントだけでなく鑑賞その他の指示があった場合にも同様に実施できる。
【００６９】
図１０は、画像管理装置１で実行されるプリント制御を示すフローチャート図である。本フローは、所定の画像データをプリント指示されることでスタートする。
【００７０】
先ず、ステップＳ６１０では、プリント指示された画像データの保管先を管理データから検出する。ステップＳ６１１では、ハードディスク１０２内に保管されているか判別し、ハードディスク１０２内に保管されている場合にはステップＳ６１６に進み、保管されていない場合にはステップＳ６１２に進む。
【００７１】
ステップＳ６１２では、保管されているメディアがディスクドライブ１０３、メモリカードスロット１０４等に装着されているか判別し、装着されている場合にはステップＳ６１６に進み、装着されていない場合にはステップＳ６１３に進む。ステップＳ６１３では、ハードディスク１０２内のバックアップ用画像データを検索する。ステップＳ６１４では、バックアップ用画像データを利用してプリント処理することをモニタに表示する。
【００７２】
ステップＳ６１５では、保管先から画像データを読み出すことが不可能であるので、バックアップ用画像データを読み出す。ステップＳ６１６では、保管先から画像データを読み出す。そして、ステップＳ６１７では、読み出した画像データをプリント処理する。
【００７３】
以上のとおり制御することにより、プリント対象の画像データが保管されているＣＤ−Ｒ等のメディアをいちいち探して装着するような複雑な作業を行わなくても容易にプリントできる。
【００７４】
次に、本発明の実施の形態の画像管理装置１における登録以外の機能について説明する。
画像管理装置１で管理している画像データをＣＤ-Ｒ等の記憶メディアに記録する記録制御を説明する。
【００７５】
画像管理装置１内に記録されている画像データをＣＤ−Ｒに焼き付ける作業をする場合には、他人に渡すために作成するのか、整理のために作成するのか問い合わせる。または、ＣＤ−Ｒの情報を登録しておき、ＣＤ−Ｒへの焼き付け終了後に、ハードディスク内の焼き付けた画像データを削除するか問い合わせ、削除するように指示された場合には、登録場所データをハードディスク内からＣＤ−Ｒに登録しなおす。また、画像データの削除作業が施されなかった場合にはコピー先情報とをしてＣＤ−Ｒの情報を登録して登録作業を終了する。
【００７６】
コピーまたは移動する画像データの１つまたは複数が選択されると、装着されたメディアの空き容量に合わせて、選択された画像データと同じイベント、近い撮影日時の画像データを自動的に選択する。また、自動的に選択された画像データはＣＤ−Ｒに記録する候補の画像データであり、変更することができる。
【００７７】
このようにコピー先のメディアに記録可能な画像データ数を自動的に選択することで、いちいち多数の画像を選択する作業を省くことができる。また、イベント、撮影日時に応じて分けることにより、イベントごとにまとまった等、関連性のある画像データを同じメディア内に作成することができる。
【００７８】
以下に具体的な制御を説明する。図１１は、画像管理装置１で実行される記録制御を示すフローチャート図である。本フローは、1つの画像データを指定して、装着されているメディアへのコピーウイザードを実行することによりスタートする。
【００７９】
先ず、ステップＳ７０１では、装着されているメディアの種類、容量を調査する。ステップＳ７０２では、メディアの空き容量に応じて書きこみ候補の画像データを選択する。候補となる画像データは、管理データに基づいてイベント、撮影日時等を考慮して、指定された画像データと関連がありそうな画像データ群が選択される。ここで実行される候補選択制御については図１３を用いて後述する。
【００８０】
ステップＳ７０３では、選択された画像データ群を一覧表示する。また、選択されている画像データを装着されたメディアに書き込んでよいか問い合わせる表示を行う。続いて、ステップＳ７０４では、書き込み指示があったか否かを検出し、書き込み指示があった場合にはステップＳ７０７に進み、書き込み指示がない場合にはステップＳ７０５に進む。
【００８１】
そして、ステップＳ７０５では、選択された画像データを変更するか問い合わせる表示を行う。そして、ステップＳ７０６では、変更指示があったか否かを検出し、変更指示があった場合にはステップＳ７０３に戻り、再度変更された画像データを含めた画像データ群を一覧表示する。また、変更指示がない場合にはステップＳ７０５に戻る。
【００８２】
そして、ステップＳ７０７では、装着されたメディアへの書き込みを実行する。続いて、ステップＳ７０８では、書き込みが終了したか否かを検出し、書き込みが終了している場合には本フローを終了し、書き込みが終了していない場合にはステップＳ７０７に戻り、書き込みを継続する。
【００８３】
次に、図１１のフローに続いて実行される制御について説明する。
図１２は、書きこみが終了した後に画像管理装置１で実行される制御を示すフローチャート図である。本フローは、図１１のフローに続いて実行される。
【００８４】
先ず、ステップＳ７１０では、装着されたメディアへのコピーを行った画像データに対応するハードディスク１０２内のオリジナル画像データを削除するか問い合わせる。ここで、ハードディスク１０２内のオリジナル画像データを削除する理由は、装着されたメディアにコピーしたことにより、使用者にとって、ハードディスク１０２内の画像データが不用になった可能性があるからである。
【００８５】
そして、ステップＳ７１１では、問い合わせに対して使用者が削除するよう指示されたか否かを検出し、削除するように指示された場合にはステップＳ７１３に進み、削除しないように指示された場合にはステップＳ７１２に進む。
【００８６】
ステップＳ７１２では、コピーした画像データの管理データに、メディアにコピーを行ったことを登録する。また、ステップＳ７１３では、メディアにコピーした画像データに対応するハードディスク１０２内のオリジナル画像データを削除する。そして、ステップＳ７１４では、管理データ内のオリジナル画像データの保管先情報をハードディスク１０２からコピーしたメディアへと登録変更する。
【００８７】
ステップＳ７１５では、装着されたメディアへのコピーを行った画像データの登録情報を管理データから削除するか問い合わせる。ステップＳ７１６では、問い合わせに対して使用者が削除するよう指示されたか否かを検出し、削除するように指示された場合にはステップＳ７１７に進み、削除しないように指示された場合には本フローを終了する。ステップＳ７１７では、メディアにコピーを行った画像データの登録情報を管理データから削除する。
【００８８】
次に、図１１のステップ７０２で実行される書込候補選択制御について説明する。ここで実行される制御は、指定された画像データに関連する画像データ群を抽出することにある。また、装着されたメディアの空き容量に合わせて画像データ群を抽出することにある。
【００８９】
図１３は、画像管理装置１で実行される書込候補選択制御を示すフローチャート図である。
先ず、ステップＳ７２０では、予め設定されている検索条件、優先順位等の条件設定情報を取得する。条件設定情報とは、使用者により予め設定される情報であり、メディアに書き込む画像データ群を選択する際にどのような条件で選択するかを指示するものである。
【００９０】
例えば、使用者は画像データを選択する際に用いられる検索条件を設定する。具体的には、管理データに登録されている情報の中から検索条件となる項目を設定する。項目には、カメラ機種名、撮影日時、画像所有者、撮影場所、画像タイトル、キーワード等がある。また、使用者は、画像データを選択するための検索式を生成する際に重視する項目を選択設定することができる。
【００９１】
このように検索項目を設定することにより、同じカメラ、同じ所有者、同じ場所、同じタイトル、所定撮影間隔以内、等の画像データ群を候補として抽出することができる。
【００９２】
更に、使用者は、検索項目の他に、テーマ重視、容量重視を設定することができる。テーマ重視、容量重視については後述する。
次に、ステップＳ７２１では、検索式を生成する。そして、ステップＳ７２２では、検索式で管理データを検索し、ヒットした画像データ情報を取得する。
【００９３】
ステップＳ７２３では、取得した画像データ情報から検索でヒットした画像データの総容量を算出する。次に、ステップＳ７２４では、算出した総容量が、装着されているメディアの空き容量以下であるか否かを判別し、空き容量以下である場合にはステップＳ７２６に進み、空き容量以下でない場合にはステップＳ７２５に進む。
【００９４】
そして、ステップＳ７２５では、総容量がメディアの空き容量を越えないようにするため、検索条件を厳しくして選択画像データ数の絞込みを実行する。また、ステップＳ７２６では、空き容量から総容量を引いた差が所定容量以上であるか否かを判別する。ここで、判別の基準に使用する所定容量の値は、使用者が設定したテーマ重視か容量重視かで変化する。テーマ重視の場合には所定容量の値が大きく、容量重視の場合には値が小さく設定される。テーマ重視が設定されている場合には、メディアの空き容量を気にせずに、例えば、あるイベントにおいて撮影された画像データのみを抽出する。このように関連性の高い画像データのみを抽出し、関連性の低い画像データを抽出することを防ぐ。また、容量重視が設定されている場合には、メディアの空き容量が埋まるように画像データを抽出する。差が所定容量以上の場合にはステップＳ７２７に進み、所定容量以下の場合にはステップＳ７２８に進む。
【００９５】
ステップＳ７２７では、総容量をメディアの空き容量に近づけるため、検索条件をゆるくして選択画像データ数を増やす処置を実行する。そして、ステップＳ７２８では、ヒットした画像データのサムネイル画像データを抽出する。
【００９６】
上記例では、画像データのテーマとメディアの空き容量とを考慮に入れて選択画像を検索する検索式を生成した。しかし、空き容量を埋めようとするとすることで、一貫したテーマの画像群でなくなることがありえるので、検索範囲を無理やり広げる制御を施さないようにしてもよい。
【００９７】
また、装着されたメディアの無駄をなくすため、画像のテーマを無視して単に、容量で画像データを選択するようにしてもよい。また、検索に用いられる項目は上述した項目以外でもよい。
【００９８】
また、メディアへ書き込み終了後、メディアに貼りつけるラベル、ジャケットを画像タイトル、撮影日時等から作成、プリントするようにしてもよい。
以上説明したとおり、管理している画像データをメディアにコピーする場合に、関連性のある画像データ群が集まるように制御する。また、メディアの空き容量に合わせて画像データを選択するように制御するので、いちいち空き容量を確認しながら画像データを選択する必要がない。
【００９９】
以下に、本発明の実施の形態における画像管理装置１の別の管理機能について説明する。
画像管理装置１は、上述したように画像データの撮影情報等の他に、ＣＤ−Ｒ等のメディアの保管先、所有者を管理データに登録して管理する。
【０１００】
画像管理装置１は、更に、画像データが銀塩フィルムをスキャンしてデジタル化した画像データである場合に、画像データに関連付けて銀塩フィルムの保管場所情報を登録して管理する機能を備える。
【０１０１】
また、ラボ作成ＣＤ−Ｒの場合には、銀塩フィルムの撮影コマ順に画像データが並んでいるので自動的に銀塩フィルムに対応したコマ番号が入力される。また、ラボ側で画像データにコマ番号を付した状態で供給することが望ましい。
【０１０２】
以下に画像管理装置１で実行される具体的な制御を説明する。
図１４は、画像管理装置１で実行される制御を示すフローチャート図である。
本フローは、ＣＤ−Ｒ等の記憶メディアが装着され登録作業が実行されることによりスタートする。
【０１０３】
先ず、ステップＳ７３０では、装着、接続された記憶メディアを調査する。続いて、ステップＳ７３１では、ラボ作成ＣＤ−Ｒであるか否かを判別し、ラボ作成ＣＤ−Ｒである場合にはステップＳ７３２に進み、ラボ作成ＣＤ−Ｒでない場合にはステップＳ７３３に進む。ラボ作成ＣＤ−Ｒであるか否かは、ＣＤ−Ｒのシリアル番号、ボリュームラベル、画像データのＥｘｉｆ情報から判別できる。例えば、Ｅｘｉｆ情報には銀塩フィルムからデジタル化した日時情報が入力されている。
【０１０４】
ステップＳ７３２では、ラボ情報、コマ番号を管理データに登録する。また、ステップＳ７３３では、自動的に判別できなかった情報を入力するよう催促する表示をモニタに行う。ここでは、コマ番号等の画像データに関する情報の他に、銀塩フィルムの所有者、保管場所等の情報を入力してもらう。次に、ステップＳ７３４では、入力が完了したか否かを検出し、入力が完了している場合にはステップＳ７３５に進み、入力が完了していない場合にはステップＳ７３３に戻る。そして、ステップＳ７３５では、入力された銀塩フィルム情報を管理データに登録する。
【０１０５】
以上のとおり登録制御することにより、使用者は、銀塩フィルムの所有者、保存場所を検索することができる。
また、銀塩フィルム情報とそのフィルム内の画像データのコマ番号を管理することで、インターネット経由での印刷でない銀塩フィルムからの焼き増しプリント時の検索に役立たせることができる。また、焼き増しする画像を選択して注文票印刷を操作すると写真屋さんに出す注文票が作成される。
【０１０６】
以下に、画像管理装置１の銀塩フィルム保管場所検索、注文票印刷機能を具体的に説明する。
図１５は、画像管理装置１で実行される銀塩フィルム管理制御を示すフローチャート図である。本フローは、画像管理装置１における管理メニューの銀塩フィルム管理を操作することによりスタートする。
【０１０７】
先ず、ステップＳ７４０では、管理データを検索する。続いて、ステップＳ７４１では、管理データに銀塩フィルム情報が登録されている画像データのサムネイル画像を抽出する。そして、ステップＳ７４２では、抽出したサムネイル画像をモニタ２に一覧表示する。ステップＳ７４３では、画像データの選択が終了したか否かを検出する。終了していた場合にはステップＳ７４４に進み、終了していなければステップＳ７４２に戻る。
【０１０８】
そして、ステップＳ７４４では、プリントするのか保管場所検索をするのか問い合わせる画面を表示する。続いて、ステップＳ７４５では、プリントが指示されたか否かを検出する。プリントの場合にはステップＳ７４６に進み、保管場所検索の場合にはステップＳ７５０に進む。
【０１０９】
次に、ステップＳ７４６では、プリントを出すラボ、店情報の入力を催促する。そして、ステップＳ７４７では、ラボ、店情報が入力されたか判別し、入力されている場合にはステップＳ７４８に進み、入力されていなければステップＳ７４６に戻る。ステップＳ７４８では、選択された画像データの管理データに、焼き増しプリントしたこと、注文日時、注文ラボ等の情報を登録する。そして、ステップＳ７４９では、インターネットを利用して入力されたラボ、店のサイトに接続して、ラボ、店に対応した注文票テンプレートを取得する。注文票テンプレートは予め画像管理装置１内に保管されていてもよい。そして、ステップＳ７５０では、サイトからプリントの仕上がり予定日時情報をダウンロードし、仕上がり予定日時を表示する。
【０１１０】
ステップＳ７５１では、選択された画像データがラボでプリントされるように取得した注文票にオーダを入力した状態の注文票を作成する。続いて、ステップＳ７５２では、プリンタ７に注文票の印刷を指示する。次に、ステップＳ７５３では、管理データを検索し、選択された画像データに対応する銀塩フィルムの保管場所を抽出する。そして、ステップＳ７５４では、モニタ２に銀塩フィルムの保管場所を表示する。
【０１１１】
このように、画像管理装置１は、デジタルデータである画像データを管理するだけでなく、銀塩フィルム等も管理する。また、銀塩フィルムからのプリントの注文票も作成する。
【０１１２】
次に、本発明の実施の形態による画像管理装置１で実行される他機能ソフトウェアとの連携制御について説明する。
本実施の形態の画像管理装置１は、電子手帳４等の携帯端末内のソフトウェアと連携する機能を有する。ここでは、電子手帳４で使用されているスケジュールソフトのスケジュールデータとの連携について説明する。
【０１１３】
画像管理装置１は、スケジュールデータから画像タイトル、撮影場所等の情報を自動的に生成する。吸い上げた画像ファイルにタイトル、キーワードがつけられていないときにスケジュールデータから画像データのタイトル、キーワードを作成する。これにより、画像管理装置１において、画像データを検索する時の助けになる。
【０１１４】
以下に画像管理装置１で実行される連携制御を説明する。
画像管理装置１が、メモリカード等から画像データを吸上げる際に、画像データに付加されたＥｘｉｆ情報の撮影日時データとスケジュールデータとを照合する。撮影日時に対応するスケジュールデータがあった場合には、スケジュール内容を表示する。そして、タイトルを付けさせる。または、自動的にタイトルを付ける。そして、撮影日時に対応するスケジュールデータの文章の一部または全ワードをキーワードとして登録する。
【０１１５】
また、スケジュールの文章からタイトルを作成せずに、単に、キーワードに追加する。画像データの内容と、スケジュールの内容が全く異なっていてもよい。画像データの内容とスケジュールの文章とが一致しているか否かは、確認作業が必要になる。
【０１１６】
また、確認作業をせずに単に、キーワードにするだけでもメリットがある。例えば、スケジュールに「Ａさんの結婚式」と記載されていて、同じ日に撮影した結婚式以外で撮影した画像データのキーワードに「Ａさんの結婚式」を付加する。こうすることにより、見たい画像データの撮影日時を覚えてなくても、Ａさんの結婚式の日に撮影したことを覚えている場合に、「Ａさんの結婚式」をキーワードに探し出すことができる。
【０１１７】
以下に画像管理装置１で実行される連携制御について具体的に説明する。
図１６は、画像管理装置１で実行されるスケジュールソフトとの連携制御を示すフローチャート図である。本フローは、登録作業が実行されることによりスタートする。
【０１１８】
先ず、ステップＳ８０１では、登録を行う画像データの撮影情報を検索する。続いて、ステップＳ８０２では、画像データの撮影日時情報を取得する。次に、ステップＳ８０３では、電子手帳４と通信して、スケジュールデータを検索する。そして、取得した画像データの撮影日時情報に対応するスケジュールデータが存在するか検出する。次に、ステップＳ８０４では、画像データの撮影日時情報に対応したスケジュールデータがあるか判定し、対応したスケジュールデータがある場合にはステップＳ８０５に進み、対応するスケジュールデータがない場合には本フローを終了する。
【０１１９】
そして、ステップＳ８０５では、スケジュールデータから抽出したワードをタイトル、キーワードそれぞれを表示して、そのワードで登録するか問い合わせる表示を行う。例えば、スケジュールデータに「ホテルＨにてＡさんの結婚式」とあった場合に、タイトルのワードとして「Ａさん結婚式」を抽出する。また、キーワードのワードとして「ホテルＨ」「Ａさん」「結婚式」を抽出する。
【０１２０】
ステップＳ８０６では、問合せに対して登録する指示がなされたか否かを検出する。ここで、登録する指示をすると、抽出したワードをタイトルまたはキーワードとして登録される。また、登録しないよう指示すると、タイトル、キーワードを使用者が手動入力する画面が表示される。登録する指示がなされた場合にはステップＳ８０９に進み、登録しない指示がされた場合にはステップＳ８０７に進む。
【０１２１】
ステップＳ８０７では、タイトル、キーワードを手動入力するための入力画面を表示する。そして、ステップＳ８０８では、データが入力されたか否かを検出する。入力された場合にはステップＳ８０９に進み、入力されない場合には何も登録せずに本フローを終了する。
【０１２２】
ステップＳ８０９では、タイトルまたはキーワードを画像データと対応付けて管理データに登録する。
以上のとおり、画像データの撮影日時に対応するスケジュールソフトのスケジュールデータが存在する場合にはスケジュールデータを画像データのタイトル、キーワード等に活用することができる。
【０１２３】
上記例で画像管理装置１は、登録する画像データの撮影日時に対応するスケジュールデータが存在した場合には、画像データのタイトル、キーワードとして管理データに登録した。
【０１２４】
また、上記制御では、撮影日時と一致するデータが存在するか検索したが、完全に一致していなくても日時が近いデータを抽出してもよい。例えば、撮影日時の前後にスケュールデータがあった場合には、前方のデータを優先する。
【０１２５】
画像管理装置１は、管理データには登録せずに、画像データを検索、抽出する時にスケジュールデータを利用する機能を持つ。例えば、「Ａさんの結婚式」というキーワードで検索された場合には、スケジュールソフトから「Ａさんの結婚式」の日時を取得して、その撮影日時の画像データを抽出する。
【０１２６】
以下に画像管理装置１で実行される制御を具体的に説明する。
図１７は、画像管理装置１で実行する検索、抽出制御を示すフローチャート図である。本フローは、所定のキーワードが入力され、検索、抽出を実行されることでスタートする。
【０１２７】
先ず、ステップＳ９０１では、登録されている画像データの管理データを検索する。ステップＳ９０２では、入力されたキーワードを持つ画像データが存在するか否かを検出する。存在する場合にはステップＳ９０６に進み、存在しない場合にはステップＳ９０３に進む。
【０１２８】
そして、ステップＳ９０３では、管理データに入力されたキーワードの画像データが存在しないので、電子手帳４と通信してスケジュールデータを検索する。画像管理装置１は、スケジュールソフトで使用しているスケジュールデータを検索できるようになっている。
【０１２９】
ステップＳ９０４では、入力されたキーワードがスケジュールデータ内に存在するか否かを検出する。存在する場合には、ステップＳ９０６に進み、存在しない場合にはステップＳ９０５に進む。ステップＳ９０５では、該当する画像データが存在しないことを表示する。一方、ステップＳ９０６では、該当する画像データを一覧表示する。
【０１３０】
上記例では、電子手帳４と通信してスケジュールデータを検索した。しかし、電子手帳４内のスケジュールソフトと連携するのではなく、画像管理装置１内にあるスケジュールソフトと連携するようにしてもよい。
【０１３１】
また、検索を実行した都度に電子手帳４と通信するのではなく、画像管理装置１は、携帯端末が接続されたときスケジュールデータを画像管理装置１内に吸上げておくようにしてもよい。
【０１３２】
また、上記制御では、スケジュールソフトのスケジュールデータと連携する例を示したが、スケジュールデータに限らず、その他のデータであってもよい。例えば、携帯電話５内の電子メールデータ等と連携させてもよい。
【０１３３】
以下に画像管理装置１と携帯電話５との連携について詳細に説明する。
携帯電話５には、電子メールデータの他に、通話記録、スケジュールデータ等様々な情報が記憶されている。画像管理装置１は、それらの情報を管理データに利用する。また、画像管理装置１は、携帯電話５内の情報に優先順位を付けて管理データに利用する。
【０１３４】
図１８は、画像管理装置１で実行される携帯電話５と連携した登録制御を示すフローチャート図である。本フローは、登録作業が実行されることによりスタートする。
【０１３５】
先ず、ステップＳ９１０では、登録を行う画像データの撮影情報を検索する。続いて、ステップＳ９１１では、画像データの撮影日時情報を取得する。次に、ステップＳ９１２では、携帯電話５と通信して、スケジュールデータを検索する。そして、取得した画像データの撮影日時情報に対応するスケジュールデータが存在するか検出する。次に、ステップＳ９１３では、画像データの撮影日時情報に対応したスケジュールデータがあるか判定し、対応したスケジュールデータがある場合にはステップＳ９１８に進み、対応するスケジュールデータがない場合にはステップＳ９１４に進む。
【０１３６】
次にステップＳ９１４では、携帯電話５と通信して、電子メールデータを検索する。そして、取得した画像データの撮影日時に受信または発信した電子メールデータが存在するか検出する。次に、ステップＳ９１５では、画像データの撮影日時に受信または送信した電子メールデータがあるか判定し、対応した電子メールデータがある場合にはステップＳ９１８に進み、対応する電子メールデータがない場合にはステップＳ９１６に進む。
【０１３７】
次にステップＳ９１６では、携帯電話５と通信して、通話履歴データを検索する。そして、取得した画像データの撮影日時に通話したデータが存在するか検出する。次に、ステップＳ９１７では、画像データの撮影日時に通話したデータがあるか判定し、通話している場合にはステップＳ９１８に進み、通話していない場合には、新たに登録するデータがないので本フローを終了する。
【０１３８】
そして、ステップＳ９１８では、携帯電話５から抽出したワードをタイトル、またはキーワードとして管理データに登録する。電子メールデータから抽出するワードは、メールタイトルから抽出したワードでもよいし、メール本文から抽出したワードでもよい。また、通話履歴データからは、通話相手のデータを抽出する。
【０１３９】
次に、本発明の実施の形態による画像管理装置１において実行されるポータブル蓄積装置６に対する制御について説明する。
本実施の形態の画像管理装置１は、ポータブル蓄積装置６内に蓄積された画像データを取得して登録する機能を備える。ここで、ポータブル蓄積装置６とは、データを蓄積するためのハードディスクを内蔵し、また、画像管理装置１、デジタルカメラと通信可能に接続する接続部を備える。更にポータブル蓄積装置６は、デジタルカメラで撮影された画像データをメモリカード経由で取得するカードスロットを備える。そして、ポータブル蓄積装置６は、デジタルカメラとともに屋外に持ち出し、デジタルカメラで撮影した画像データを接続部またはカードスロットを通じて蓄積する。
【０１４０】
ポータブル蓄積装置６に蓄積された画像データをデジタルカメラ内メモリから消去することによりメモリの空き容量を増やすことで継続して撮影を行えるようにするものである。また、ポータブル蓄積装置６内のハードディスクは、１回の旅行等のイベントでの画像蓄積に十分な容量を備えている。
【０１４１】
そして、画像管理装置１は、ポータブル蓄積装置６と接続することで、ポータブル蓄積装置６に蓄積された画像データをハードディスク１０２に登録保管する。
【０１４２】
また、ポータブル蓄積装置６は、蓄積している画像データを独自に管理している場合がある。そして、画像管理装置１は、各種ポータブル蓄積装置６の管理情報を画像管理装置１で利用できるデータに変換するプログラムを備えている。変換プログラムはハードディスク１０２に記憶されている。
【０１４３】
そこで、画像管理装置１は、ポータブル蓄積装置６と連携することにより、より細かな画像データの管理が行える。管理情報を取得し、自ソフト用に管理情報を変換し活用する。例えば、ポータブル蓄積装置６にＧＰＳ素子を搭載している場合には画像を保管したときの位置情報を得ることができる。
【０１４４】
そして、画像管理装置１は、ポータブル蓄積装置６で管理している画像登録データを受け取り、自ら使えるように変換して登録する。これにより、いちいち全ての画像データに付されているデータを抽出することがないし、また、画像データに付されていない情報を入力してもらうことにより新たな情報として取得できる。
【０１４５】
以下に、ポータブル蓄積装置６と接続された場合に、画像管理装置１で実行されるポータブル蓄積装置６内の画像データ登録制御について説明する。
図１９は、画像管理装置１で実行される制御を示すフローチャート図である。本フローは、ポータブル蓄積装置６と画像管理装置１とが接続されることによりスタートする。
【０１４６】
先ず、ステップＳ１１０１では、ポータブル蓄積装置６の情報を取得し、連携可能なポータブル蓄積装置６であるか検索する。ここで連携可能なポータブル蓄積装置６とは、蓄積している画像データを管理する管理データを画像管理装置１で利用できる装置である。当然、管理データを所有しないポータブル蓄積装置６は、連携不可能と判断する。
【０１４７】
次に、ステップＳ１１０２では、接続されたポータブル蓄積装置６が画像管理装置１と連携可能であるか否かを判定する。連携可能な場合にはステップＳ１１０３に進み、連携不可能な場合にはステップＳ１１０５に進む。
【０１４８】
ステップＳ１１０３では、ポータブル蓄積装置６内の管理データを吸い上げる。続いてステップＳ１１０４では、吸い上げた管理データに対応する管理データプログラムを起動して、管理データを変換する。
【０１４９】
また、ステップＳ１１０５では、画像データを吸い上げ、ハードディスク１０２内に格納する。ステップＳ１１０６では、吸い上げ作業が終了したか否かを検出して終了している場合にはステップＳ１１０７に進み、終了していなければステップＳ１１０５に戻り、吸い上げ作業を継続する。
【０１５０】
次に、ステップＳ１１０７では、ポータブル蓄積装置６内の画像データを消去する。なお、自動的に吸い上げた画像データを削除せずに、吸上げた画像データを消去するか否か問い合わせるようにしてもよい。また、ポータブル蓄積装置６内の管理データを書き換える。そして、ステップＳ１１０８では、吸上げた画像データの登録作業を行う。
【０１５１】
このように、画像管理装置１と接続する機器が独自の画像管理を実施している場合には、機器から画像管理データを取得し、取得した画像管理データに基づいて登録作業を行うことで、詳細な管理登録を簡単に行うことができる。
【０１５２】
次に、デジタルカメラ３で撮影した画像データをサーバコンピュータ８等に転送するシステムにおける画像管理装置１の機能を説明する。
デジタルカメラ３は、画像データをサーバコンピュータ８等の転送先に転送する前に、デジタルカメラ３のモニタに再生表示するための表示用の縮小画像データを作成し、画像データを転送した転送先の情報とともにデジタルカメラ３内のメモリに記憶しておく。
【０１５３】
また、デジタルカメラ３内の残した縮小画像は、Ｅｘｉｆ形式で記憶されており、撮影日時、シャッタスピード、ストロボの有無等の情報は、オリジナル画像データと同一のものを持っている。また、画像データサイズ等の情報は縮小画像のサイズになっているため、オリジナル画像データとは異なる。また、オリジナル画像データでないことを示す情報も保持している。
【０１５４】
以下に画像管理装置１で実行される登録制御を具体的に説明する。
図２０は、画像管理装置１で実行される登録制御を示すフローチャート図である。本フローは、画像管理装置１の接続端子１０５にデジタルカメラ３が接続されることによりスタートする。また、デジタルカメラ３は、画像データをサーバコンピュータ８に転送したものとする。
【０１５５】
先ず、ステップＳ１２０１では、デジタルカメラ３から転送先情報を取得する。続いて、ステップＳ１２０２では、取得した転送先情報に基づいて、転送先であるサーバコンピュータ８に接続できるか試みる。そして、ステップＳ１２０３では、サーバコンピュータ８に接続できたか否かを判別し、接続できた場合にはステップＳ１２０４に進み、接続できない場合にはステップＳ１２０５に進む。
【０１５６】
そして、ステップＳ１２０４では、デジタルカメラ３にあった転送先情報に対応する全ての画像データに接続し、オリジナル画像データのＥｘｉｆタグに付加されている撮影情報を取得する。また、ステップＳ１２０５では、オリジナル画像データに接続できない画像について、デジタルカメラ３内にある縮小画像のＥｘｉｆタグに記録されている撮影情報を取得する。
【０１５７】
次に、ステップＳ１２０６では、取得した情報に基づいて管理データを登録する。そして、ステップＳ１２０７では、管理データを登録した画像データに対応するデジタルカメラ３内のサムネイル画像データを削除する。
【０１５８】
上記制御では、サーバコンピュータ８に蓄積されているオリジナル画像データのダウンロードは行わずに登録作業を行う例を示した。
しかし、サーバコンピュータによっては、サーバコンピュータ内に画像データを蓄積しておくことができる期限を設けてあるものがある。この期限を越えた画像データは自動的に削除される。また、画像データを蓄積できる容量制限があることがある。蓄積できる容量以上の画像データを蓄積させることができない。そのような、サーバコンピュータにおいては、オリジナル画像データを画像管理装置１内のハードディスク１０２にダウンロードし、サーバコンピュータ内の画像データを削除する。
【０１５９】
以下に、画像管理装置１における制御を詳細に説明する。
図２１は、画像管理装置1で実行される制御を示すフローチャート図である。本フローは、サーバコンピュータ８と接続されることによりスタートする。
【０１６０】
先ず、ステップＳ１２１０では、サーバコンピュータ８の使用条件情報を取得する。続いて、ステップＳ１２１１では、サーバコンピュータ８における画像データの蓄積期限が所定期間内であるか否かを判別し、所定期間内である場合にはステップＳ１２１２に進み、所定期間より長い場合にはステップＳ１２１４に進む。
【０１６１】
そして、ステップＳ１２１２では、蓄積期限が所定期間内の画像データをハードディスク１０２にダウンロードし、サーバコンピュータ８からダウンロードした画像データを削除する。続いて、ステップＳ１２１３では、ダウンロードした画像データの保管場所に関する管理データの登録内容を変更する。
【０１６２】
また、ステップＳ１２１４では、サーバコンピュータ８に蓄積している画像データの容量が所定容量以上であるか判別し、所定容量以上である場合にはステップＳ１２１５に進み、所定容量以上で無い場合には本フローを終了する。ステップＳ１２１５では、所定の画像データをハードディスクにダウンロードし、サーバコンピュータ８からダウンロードした画像データを削除する。続いて、ステップＳ１２１６では、ダウンロードした画像データの保管場所に関する管理データの登録内容を変更し、ステップＳ１２１４に戻る。
【０１６３】
上記のように制御することにより、サーバコンピュータに蓄積した画像データを失うことが無い。また、サーバコンピュータにいつでも新たに蓄積できるメモリ容量を確保しておくことができる。
【０１６４】
次に、本実施の形態の画像管理装置１における別の機能について説明する。
一台の画像管理装置１を家族等の複数人で共有して使用することがある。他人が登録した画像データにアクセスできてしまうとプライバシを侵害することになる。
【０１６５】
また、一台のデジタルカメラ３を家族または友人等、複数人で共有することがある。そのようにデジタルカメラ３を使用する場合には、複数人のそれぞれが自分専用のメモリカードを使用することでプライバシの侵害を防ぐことができる。しかし、デジタルカメラ３に内蔵または装着されるメモリが大容量化されており、１つのメモリを複数人で共有することが考えられる。デジタルカメラ３が複数人で使用された場合に、デジタルカメラ３内の画像データを自動的に全て吸い上げて、登録してしまうと、他人の撮影した画像データまで登録してしまうことになる。
【０１６６】
また、一台のデジタルカメラ３をビジネスとプライベートとで共用することがある。この場合にも、個人所有の画像管理装置にビジネスで撮影した画像データが自動的に登録されてしまうことは不都合である。
【０１６７】
本実施の形態の画像管理装置１は、上記問題を解決するためにさまざまな機能を有する。以下にその機能を具体的に説明する。  画像管理装置１は、プライバシを守るために、他人が登録した画像データにアクセスできないようにする機能を有する。パソコン等で実施されている複数の使用者がいる場合には、使用者ごとにログインＩＤとパスワードを持たせ、画像管理装置１の使用時にログインさせる。これで使用者を区別し、画像データのアクセス制限を施す。画像管理装置１では、ある使用者のログイン中に登録した画像
データは、同一使用者のログイン中でなければアクセスできないようにすることで実現する。
【０１６８】
また、画像管理装置１では、複数人が撮影した画像データの中から画像データの所有者を区別して登録する機能を有する。画像管理装置１は、所有者を特定するための画像データ抽出条件を入力して、条件に合った画像データのみ登録する機能を有する。入力できる条件には、フォルダ名、ファイル名等のファイル管理情報の他に、メーカ名、撮影機種名、画像タイトル、キーワード、画像サイズ、撮影日時、ユーザ名等のＥｘｉｆのタグ情報等がある。
【０１６９】
以下に、画像管理装置１で実行される具体的な制御について説明する。
図２２は、画像管理装置１で実行される制御を示すフローチャート図である。本フローは、接続端子１０５へのデジタルカメラ３の接続、またはメモリカードスロット１０４への装着を検出してスタートする。下記の説明では、デジタルカメラ３が接続された場合を示す。
【０１７０】
先ず、ステップＳ２００１では、画像管理装置１のログイン者を検出する。ステップＳ２００２では、接続されたデジタルカメラ３内の画像データを検索する。
【０１７１】
ステップＳ２００３では、デジタルカメラ３内の画像データを検索した結果、ログイン者が設定している条件に一致する画像データが存在したか判別し、ログイン者の条件に一致する画像データが存在した場合にはステップＳ２００４に進み、一致する画像データが存在しない場合には本フローを終了する。そして、ステップＳ２００４では、ログイン者が設定している条件に一致する画像データのみを吸い上げ、登録する。
【０１７２】
なお、デジタルカメラ３に画像管理装置１にあるような、使用者を特定するためにログインする機能を持つ場合には、画像管理装置１で条件入力等の設定をすることなく、ログイン情報から自動的に登録できる。
【０１７３】
また、上記の制御では、ログイン者の画像データを検出して、ログイン者の画像データのみを吸い上げ、登録する例を示した。
次に説明する制御では、デジタルカメラ３内の全ての画像データを吸い上げ、登録する。そして登録の際にログイン者情報を管理データに登録する。そして、ログイン者の画像データ以外は表示等のアクセスを不能にする。
【０１７４】
図２３は、画像管理装置１で実行される登録制御を示すフローチャート図である。本フローは、接続端子１０５へのデジタルカメラ３の接続、またはメモリカードスロット１０４への装着を検出してスタートする。下記の説明では、デジタルカメラ３が接続された場合を示す。
【０１７５】
先ず、ステップＳ２０１０では、画像管理装置１のログイン者を検出する。次に、ステップＳ２０１１では、デジタルカメラ３内の画像データを全て吸い上げ、画像データの撮影情報データを管理データに登録する。また、画像データの撮影者、所有者等の情報も管理データに登録する。
【０１７６】
そして、ステップＳ２０１２では、登録した画像データを検索する。ステップＳ２０１３では、画像管理装置１のログイン者が撮影者、所有者である画像データが存在するか判別し、存在する場合にはステップＳ２０１４に進み、存在しない場合には、扱える画像データがないので本フローを終了する。また、ステップＳ２０１４では、ログイン者が撮影者、所有者である画像データのサムネイル画像を一覧表示し、取り扱い可能にする。
【０１７７】
以上のように登録制御することにより、効率よく画像データを登録できるとともに、他人のプライバシを侵害してしまうことが無い。
次に、オリジナル画像データの吸い上げを行わずに、管理データへの登録のみを行う例を説明する。例えば、デジタルカメラ３に装着されているメモリカードがライトワンスメディアの場合に実行される。
【０１７８】
図２４は、画像管理装置１で実行される制御を示すフローチャート図である。本フローは、画像管理装置１にライトワンスメディアを装着したデジタルカメラが接続されることでスタートする。
【０１７９】
先ず、ステップＳ２０２０では、画像管理装置１のログイン者を検出する。次に、ステップＳ２０２１では、接続されたデジタルカメラ３内の画像データを検索する。そして、ステップＳ２０２２では、デジタルカメラ３内の画像データを検索した結果、ログイン者が設定している条件に一致する画像データが存在したか判別し、ログイン者の条件に一致する画像データが存在した場合にはステップＳ２０２３に進み、一致する画像データが存在しない場合には本フローを終了する。そして、ステップＳ２０２３では、ログイン者が設定している条件に一致する画像データのみについて管理データに登録する。
【０１８０】
次に、デジタルカメラ３で撮影した画像データをインターネット等のネットワークを使ってサーバコンピュータに送信して蓄積する場合に対応する制御を説明する。
【０１８１】
図２５は、画像管理装置１において実行される制御を示すフローチャート図である。本フローは、サーバコンピュータ８に転送する機能を備えたデジタルカメラが画像管理装置１に接続されることでスタートする。
【０１８２】
先ず、ステップＳ２０３１では、画像管理装置１のログイン者を検出する。続いて、ステップＳ２０３２では、デジタルカメラ３内にある送信データを検索する。送信データは、画像データの送信先情報、撮影者情報等を持つ。そして、ステップＳ２０３３では、検索の結果、ログイン者の画像データが存在するか判別し、画像データが存在する場合にはステップＳ２０３４に進み、存在しない場合には本フローを終了する。
【０１８３】
次に、ステップＳ２０３４では、送信データの送信先情報に基づいて送信先サーバコンピュータ８に接続を試みる。続いて、ステップＳ２０３５では、サーバコンピュータ８に接続したか否かを検出し、接続している場合にはステップＳ２０３７に進み、接続していない場合にはステップＳ２０３６に進み、接続できない旨を表示する。そして、ステップＳ２０３７では、サーバコンピュータ８からログイン者が撮影した画像データをダウンロードする。次に、ステップＳ２０３８では、ダウンロードした画像データの管理データを作成し、画像データとともに管理データをハードディスク１０２に登録する。
【０１８４】
上記のよう制御することにより、デジタルカメラからサーバコンピュータに転送された画像データの中から使用者の画像データを容易に取得することができる。
【０１８５】
次に、本発明の実施の形態における画像管理装置１の別の機能を説明する。
画像管理装置１には、固定のハードディスク１０２の他に、接続端子１０５を利用して取り外して交換可能なリムーバブルハードディスクを装着できる。リムーバブルハードディスクは、大容量の交換メディアとして使用することができる。
【０１８６】
図２６から図２８は、リムーバブルハードディスクの装着例とハードディスク内のデータ管理方法について説明するための図である。
図２６に示す例では、装着されたリムーバブルハードディスクには管理データを記録せず、固定のハードディスク１０２に管理データを一元保管するようにする。この管理方法を採用する利点は、リムーバブルハードディスクも他のＣＤ−Ｒ等のメディアと同じ要領で管理することができる。また、固定のハードディスク１０２に一元保管することで管理データをなくすことがない。
【０１８７】
装置によっては固定のハードディスクがなくリムーバブルハードディスクしかない場合もある。
図２７に示す例では、管理プログラムが記録されているハードディスクに管理データを一元保管する。この管理方法を採用する利点は、管理プログラムと同じハードディスクに管理データを一元保管することで、プログラムを起動すると必ず管理データが存在するため、管理データを２重に作成しまうことを防ぐことができる。
【０１８８】
図２８に示す例では、固定のハードディスクも含めて個々のハードディスクごとに管理データを保管するようにする。そして、管理プログラムを起動させると、ハードディスクごとに保管されている全ての管理データを検索可能にする。所定のハードディスクに複数のハードディスクに記憶された管理データを画像管理装置１が起動している間のみ一時的に1つの管理データとなるようにしてもよい。
【０１８９】
以下に本発明の実施の形態の画像管理装置１において実行される具体的な制御を説明する。
先ず、画像管理装置１で実行される起動時の制御について説明する。
【０１９０】
図２９は、画像管理装置１で実行される起動時制御を示すフローチャート図である。本フローは、画像管理装置１において画像管理機能を起動させることでスタートする。
【０１９１】
先ず、ステップＳ３００１では、装着されている全ディスクを検索する。続いて、ステップＳ３００２では、各ディスクに記録されている管理データを抽出する。そして、ステップＳ３００３では、管理プログラムを記憶しているハードディスク内に、抽出した管理データを結合した管理データを生成する。ここで結合した管理データは一時的に使用するデータで、画像管理機能を停止させることで消滅する。当然、新たに画像データが登録された場合には、結合した管理データに登録するとともに、個々のディスク内の管理データにも登録する。
【０１９２】
次に、画像管理装置１で実行される登録時の制御について説明する。
図３０は、画像管理装置１で実行される登録制御を示すフローチャート図である。本フローは、使用者により画像データの登録作業が指示されることによりスタートする。
【０１９３】
先ず、ステップＳ３０１０では、オリジナル画像データを保管するように指定されたディスク内を検索する。続いて、ステップＳ３０１１では、管理データが存在するか判別し、管理データが存在する場合にはステップＳ３０１２に進み、管理データが存在しない場合にはステップＳ３０１３に進む。
【０１９４】
そして、ステップＳ３０１２では、今回登録を行う画像データの情報を管理データに追記登録して、管理データを更新するとともに所定のフォルダに画像データを保管する。また、ステップＳ３０１３では、管理データを所定パスに新たに生成するとともに所定のフォルダに画像データを保管する。ここで、管理データを生成して保管する場所は、画像管理装置１が識別できるように予め決められたパスのフォルダに保管される。そして、ステップＳ３０１４では、結合した管理データにも画像データの情報を登録する。
【０１９５】
このように管理することで、例えば、他の画像管理装置で管理されているリムーバブルハードディスクを、自分の管理装置装置１に装着するだけで管理可能となる。
【０１９６】
以上、説明したように本発明の実施の形態における画像管理装置は、様々な機能を備え、使用者に複雑な作業等をさせることなく画像データを管理することができる。
【図面の簡単な説明】
【０１９７】
【図１】図１は、本発明の実施の形態による画像管理装置１と画像管理装置１に接続される様々な機器を示した図である。
【図２】図２は、本発明の実施の形態による画像管理装置１の機能を示す機能ブロック図である。
【図３】図３は、画像管理装置１の画像データ管理方法を概念的に示した図である。
【図４】図４は、画像管理装置で実行する画像管理制御を示すフローチャート図である。
【図５】図５は、ライトワンスメディア内に記録された画像データに対する登録制御を示すフローチャート図である。
【図６】図６は、ライトワンスメディア内に記録された画像データに対する登録制御を示すフローチャート図である。
【図７】図７は、ライトワンスメディア内に記録された画像データに対する登録制御を示すフローチャート図である。
【図８】図８は、画像管理装置１において実行する登録制御を示すフローチャート図である。
【図９】図９は、画像管理装置1で実行される登録作業を示すフローチャート図である。
【図１０】図１０は、画像管理装置１で実行されるプリント制御を示すフローチャート図である。
【図１１】図１１は、画像管理装置１で実行される記録制御を示すフローチャート図である。
【図１２】図１２は、書きこみが終了した後に画像管理装置１で実行される制御を示すフローチャート図である。
【図１３】図１３は、画像管理装置１で実行される書込候補選択制御を示すフローチャート図である。
【図１４】図１４は、画像管理装置１で実行される制御を示すフローチャート図である。
【図１５】図１５は、画像管理装置１で実行される銀塩フィルム管理制御を示すフローチャート図である。
【図１６】図１６は、画像管理装置１で実行されるスケジュールソフトとの連携制御を示すフローチャート図である。
【図１７】図１７は、画像管理装置１で実行する検索、抽出制御を示すフローチャート図である。
【図１８】図１８は、画像管理装置１で実行される携帯電話５と連携した登録制御を示すフローチャート図である。
【図１９】図１９は、画像管理装置１で実行される制御を示すフローチャート図である。
【図２０】図２０は、画像管理装置１で実行される登録制御を示すフローチャート図である。
【図２１】図２１は、画像管理装置1で実行される制御を示すフローチャート図である。
【図２２】図２２は、画像管理装置１で実行される制御を示すフローチャート図である。
【図２３】図２３は、画像管理装置１で実行される登録制御を示すフローチャート図である。
【図２４】図２４は、画像管理装置１で実行される制御を示すフローチャート図である。
【図２５】図２５は、画像管理装置１において実行される制御を示すフローチャート図である。
【図２６】図２６は、リムーバブルハードディスクの装着例とハードディスク内のデータ管理方法について説明するための図である。
【図２７】図２７は、リムーバブルハードディスクの装着例とハードディスク内のデータ管理方法について説明するための図である。
【図２８】図２８は、リムーバブルハードディスクの装着例とハードディスク内のデータ管理方法について説明するための図である。
【図２９】図２９は、画像管理装置１で実行される起動時制御を示すフローチャート図である。
【図３０】図３０は、画像管理装置１で実行される登録制御を示すフローチャート図である。
【符号の説明】
【０１９８】
１…画像管理装置
２…モニタ
３…デジタルカメラ
４…電子手帳
５…携帯電話
６…ポータブル蓄積装置
７…プリンタ
８…サーバコンピュータ
１０１…ＣＰＵ
１０２…ハードディスク
１０３…ディスクドライブ
１０４…メモリカードスロット
１０５…接続端子
１０６…通信回路
【図１】
2008104202.tif 000003
【図２】
2008104202.tif 000004
【図３】
2008104202.tif 000005
【図４】
2008104202.tif 000006
【図５】
2008104202.tif 000007
【図６】
2008104202.tif 000008
【図７】
2008104202.tif 000009
【図８】
2008104202.tif 000010
【図９】
2008104202.tif 000011
【図１０】
2008104202.tif 000012
【図１１】
2008104202.tif 000013
【図１２】
2008104202.tif 000014
【図１３】
2008104202.tif 000015
【図１４】
2008104202.tif 000016
【図１５】
2008104202.tif 000017
【図１６】
2008104202.tif 000018
【図１７】
2008104202.tif 000019
【図１８】
2008104202.tif 000020
【図１９】
2008104202.tif 000021
【図２０】
2008104202.tif 000022
【図２１】
2008104202.tif 000023
【図２２】
2008104202.tif 000024
【図２３】
2008104202.tif 000025
【図２４】
2008104202.tif 000026
【図２５】
2008104202.tif 000027
【図２６】
2008104202.tif 000028
【図２７】
2008104202.tif 000029
【図２８】
2008104202.tif 000030
【図２９】
2008104202.tif 000031
【図３０】
2008104202.tif 000032